(57)【要約】【課題】新たに信号線等を設けることなく、リモコンからオーディオ再生部に対してコマンドの情報以外の情報の伝達を可能にするオーディオ再生装置を提供する。【解決手段】キーレベル発生回路１２に所定の出力パターンでコマンド信号をｍ（ｍは自然数）回出力させるとともに、オーディオ再生部１は、キーレベル発生回路１２からのコマンド信号の出力パターンが前記所定の出力パターンに整合すると認識したときに、当該コマンド信号をｎｍ　階調で表される前記パラメータ信号として取り扱う等、出力パターンを制御して信号の種類にバリエーションを設ける。【選択図】図１
2004139669.tif 000002
【特許請求の範囲】
【請求項１】
入力される操作情報に基づいてｎ（ｎは自然数）種類のコマンドのいずれかに対応するコマンド信号を選択的にオーディオ再生部に対して出力する信号出力部を有するリモコンを備えたオーディオ再生装置において、
前記リモコンから前記オーディオ再生部に対して、前記コマンドと異なるパラメータ情報を供給する際には、所定の出力パターンで前記コマンド信号をｍ（ｍは自然数）回出力してｎｍ　階調で表される前記パラメータ信号を形成することを特徴とするオーディオ再生装置。
【請求項２】
前記出力パターンは、所定の間隔で前記コマンド信号の出力のオン／オフを切り換えるものであることを特徴とする請求項１に記載のオーディオ再生装置。
【請求項３】
前記リモコンは、チューナ回路と前記チューナ回路から出力されるオーディオ信号を増幅させる第１の増幅手段を備えており、前記パラメータ信号は、前記第１の増幅手段における増幅量に関する信号であることを特徴とする請求項１または２に記載のオーディオ再生装置。
【請求項４】
前記オーディオ再生部は、前記パラメータ信号を受信したときには、前記パラメータ信号に基づいて内部に搭載する第２の増幅手段における増幅量を調整することを特徴とする請求項３に記載のオーディオ再生装置。
【請求項５】
前記オーディオ再生部が動作していない間は、前記オーディオ再生部と前記リモコンとのディジタル信号送信ラインをＧＮＤレベルに固定しておき、
前記オーディオ再生部が動作中において前記オーディオ再生部から前記リモコンに対するディジタル信号の送信がないときは、前記ディジタル信号ラインをＨＩＧＨレベルに固定するとともに、
所定時間以上前記ディジタル信号送信ラインがＬＯＷレベルの状態を保っている場合は前記オーディオ再生部が停止していると判断し、前記チューナ回路が動作可能であることを認識することを特徴とする請求項３または４に記載のオーディオ再生装置。
【発明の詳細な説明】
【０００１】
【発明の属する技術分野】
この発明は、オーディオ再生部を操作するリモコンを備えたオーディオ再生装置に関する。
【０００２】
【従来の技術】
ポータブルＭＤプレーヤ等のオーディオ再生装置は、主にＭＤ等のメディアに格納されているオーディオ情報を再生するために用いられるものであるが、このようなメディア以外にもＡＭ／ＦＭ放送等を受信するチューナが搭載されると、より一層活用の範囲を拡張することができる。このため、従来からポータブルＭＤプレーヤ等のオーディオ再生装置の中には、チューナ回路を搭載してラジオ放送等を楽しむことが可能なものがあった。
【０００３】
このとき、チューナ回路が搭載されると、不可避的にオーディオ再生装置のサイズが大きくなるという不都合がある問題点、特に、携帯型のオーディオ再生装置においては、軽量化やコンパクト化の妨げになるという問題点を考慮して、携帯型のオーディオ再生装置のオーディオ再生部ではなく、このオーディオ再生部を操作するためのリモコンにチューナ回路を搭載して、オーディオ再生部側のサイズが大きくなるのを防止しつつ、ラジオ放送を受信することを可能にする試みがされることがあった。
【０００４】
このような場合、オーディオ再生部とリモコン側のチューナとにそれぞれ別個に増幅手段としてのアンプが備えられるとともに、リモコンの表示データはオーディオ再生部からディジタルデータで送信され、リモコンを操作した時のキーデータは各キーに割り当てられたアナログ的な電圧レベルによってオーディオ再生部に出力されるようにしてオーディオ再生装置が構築されることが一般的であるといえる。
【０００５】
ところが、オーディオ再生部とリモコン側のチューナとにそれぞれ別個に増幅手段としてのアンプを設ける場合には、それぞれの増幅手段における増幅量が互いに大きく異なることがないようにそれぞれの増幅量を調整することが重要となり、このような調整が行われていないときには、オーディオ再生部側から出力される音量とチューナ側から出力される音量との差が大きくなり、これらの切り替えを行った場合にユーザに違和感等を与えるという不都合があった。
【０００６】
そこで、従来技術の中には、例えば８ミリＶＴＲデッキとチューナが別体として構成されているＡＶシステムであって、８ミリＶＴＲデッキからの音声信号についての増幅量とチューナからの音声信号についての増幅量を同一の増幅手段を用いることにより簡易な構成で８ミリＶＴＲデッキおよびチューナのそれぞれの音量を適正に制御することを可能にする音量制御回路があった（例えば、特許文献１参照。）。
【０００７】
このような技術を利用することにより、オーディオ再生装置において、オーディオ再生部側の音量とリモコン側のチューナの音量との調整を簡易な構成で行うことが可能となる。
【０００８】
【特許文献１】
特開平４−５７２７７号公報
【発明が解決しようとする課題】
しかしながら、特許文献１に記載の技術は、オーディオ再生部の音声をリモコンを介して出力するとともに、オーディオ再生部とリモコンとの間においてシリアルデータ線によって情報のやりとりを行っているオーディオ再生装置で実現することはできない。また、特許文献１に記載の技術を利用する場合、オーディオ再生部側とリモコン側のそれぞれに独立した増幅手段を搭載することができないことになる。
【０００９】
このため、オーディオ再生部側に増幅手段を備えるとともにリモコン側にチューナ回路と独自の増幅手段を備えたオーディオ再生装置に対しては、特許文献１を含む従来の技術では、オーディオ再生部の出力音量とリモコンの出力音量との調整が困難であった。
【００１０】
よって、リモコンとオーディオ再生部との間の通信を行う場合、結局、リモコン内蔵のチューナの出力音量の設定値をオーディオ再生部に通知することができないことから、オーディオ再生部とチューナとの出力音量が著しく異なる値に設定されている場合、オーディオ再生部とチューナとの間でヘッドホンに出力されるオーディオ信号の切り換えを行うと、ヘッドホンから出力される音声の出力音量が急激に変化するという不都合が生じることがあった。
【００１１】
この発明の目的は、新たに信号線等を設けることなく、リモコンからオーディオ再生部に対してコマンドの情報以外の情報の伝達を可能にするオーディオ再生装置を提供することである。
【００１２】
【課題を解決するための手段】
この発明は以下の構成を備えている。
【００１３】
（１）入力される操作情報に基づいてｎ（ｎは自然数）種類のコマンドのいずれかに対応するコマンド信号を選択的にオーディオ再生部に対して出力する信号出力部を有するリモコンを備えたオーディオ再生装置において、
前記リモコンから前記オーディオ再生部に対して前記コマンドと異なるパラメータ情報を供給する際には、所定の出力パターンで前記コマンド信号をｍ（ｍは自然数）回出力してｎｍ　階調で表される前記パラメータ信号を形成することを特徴とする。
【００１４】
この構成においては、リモコン側からオーディオ再生装置にユーザからの操作情報を示すコマンド以外の情報を供給する場合には、リモコンからオーディオ再生部に対して出力されるコマンド信号が、通常とは異なった出力態様となる所定の出力パターンで出力されるとともに、オーディオ再生部側でも、前記所定の出力パターンのコマンド信号がコマンド情報以外の情報を示すものとして取り扱われる。
【００１５】
したがって、リモコンとオーディオ再生部との間において、コマンド以外の情報を伝達するためのデータライン等を別個に設けることなく、リモコンとオーディオ再生部との間の信号の出力方法を制御することのみにより、リモコンからより多くの種類の情報がオーディオ再生部に伝達される。
【００１６】
（２）前記信号出力部の前記出力パターンは、所定の間隔で前記コマンド信号の出力のオン／オフを切り換えるものであることを特徴とする。
【００１７】
この構成においては、リモコンからオーディオ再生部へ通常のコマンドとは異なる情報が伝達される場合に、前記コマンド信号が所定の間隔でオン／オフすることにより、通常のコマンド情報とパラメータ情報との識別が行われる。
【００１８】
したがって、コマンド信号の出力方法を制御する際には、単に間欠的に信号を出力させるといった制御を行うのみで、複雑な制御方法が用いられることがないため、簡易な構成で本発明が実現される。
【００１９】
（３）前記リモコンは、チューナ回路と前記チューナ回路から出力されるオーディオ信号を増幅させる第１の増幅手段を備えており、前記パラメータ信号は、前記第１の増幅手段における増幅量に関する信号であることを特徴とする。
【００２０】
この構成においては、リモコンにラジオ放送等を受信するためのチューナ回路が設けられ、このチューナ回路から出力されるオーディオ信号を増幅させるためにオーディオ再生部側の増幅手段とは別個の第１の増幅手段が設けられている。
【００２１】
したがって、オーディオ再生部側においてコンパクト化および軽量化が図られるとともに、リモコン側だけの構成でラジオ放送等が受信・再生される。さらに、適正にリモコン側のボリューム値がオーディオ再生部側に伝達されるため、リモコンとオーディオ再生部との間で相互にボリューム値の情報の伝達がされる。
【００２２】
（４）前記オーディオ再生部は、前記パラメータ信号を受信したときには、前記パラメータ信号に基づいて内部に搭載する第２の増幅手段における増幅量を調整することを特徴とする。
【００２３】
この構成においては、リモコンに内蔵されたチューナ回路からのラジオ放送等の出力からオーディオ再生部からのオーディオ信号に切り換えた際に、オーディオ再生部側がパラメータ信号を介してリモコン側のボリューム値を認識し、自動的に当該リモコン側のボリューム値に適合するようにオーディオ再生部側の増幅手段の増幅量が調整される。
【００２４】
したがって、チューナ回路からオーディオ再生部に切り換える前後において、ヘッドホン等から出力される音量が著しく変化することがないため、チューナ回路からオーディオ再生部への切換が円滑に行われる。
【００２５】
（５）前記オーディオ再生部が動作していない間は、前記オーディオ再生部と前記リモコンとのディジタル信号送信ラインをＧＮＤレベルに固定しておき、
前記オーディオ再生部が動作中において前記オーディオ再生部から前記リモコンに対するディジタル信号の送信がないときは、前記ディジタル信号ラインをＨＩＧＨレベルに固定するとともに、
所定時間以上前記ディジタル信号送信ラインがＬＯＷレベルの状態を保っている場合は前記オーディオ再生部が停止していると判断し、前記チューナ回路が動作可能であることを認識することを特徴とする。
【００２６】
この構成においては、前記オーディオ再生部が動作していない間は、前記ディジタル信号送信ラインがＬＯＷレベルになるように設定されるとともに、所定時間以上前記ディジタル信号送信ラインがＬＯＷレベルの状態を保っている場合は前記リモコン側において前記オーディオ再生部が停止しているとの判断がされる。
【００２７】
したがって、新たにディジタル信号送信ラインを設ける等、構成を追加することなく容易にオーディオ再生部側の動作状況がリモコン側に伝達される。
【００２８】
【発明の実施の形態】
以下、図を用いて本発明のオーディオ再生装置の実施形態であるポータブルＭＤプレーヤを説明する。
【００２９】
図１は、本実施形態のポータブルＭＤプレーヤの構成を示している。同図が示すように、ポータブルＭＤプレーヤは、オーディオ再生部１とチューナ内蔵リモコン２とを備えている。なお、ポータブルＭＤプレーヤから出力されるオーディオ信号を音声として出力するヘッドホン１００は、チューナ内蔵リモコン２に接続される。本発明は、ポータブルＭＤプレーヤにおいて特段構成を追加することなく信号の出力の制御を行うだけで、リモコン２からオーディオ再生部１に対して通常のコマンド以外の情報を提供することを可能にする点を特徴とするものであり、以下その詳細を説明する。
【００３０】
図２は、ポータブルＭＤプレーヤ１の構成を示すブロック図である。同図が示すようにポータブルＭＤプレーヤは、ＭＤを始めとするポータブルＭＤプレーヤを内蔵したオーディオ再生部１、およびチューナ回路を内蔵するとともにユーザからの操作情報に応じてオーディオ再生部１の動作を制御するチューナ内蔵リモコン２を備えている。
【００３１】
オーディオ再生部１は、オーディオ再生回路３、制御マイコン４、メモリ５、および増幅回路６を備えている。オーディオ再生回路３は、ＭＤに格納されているディジタルデータの読出・デコード・Ｄ／Ａ変換等を行いオーディオ信号を出力する。増幅回路６は、オーディオ再生回路３から出力されるオーディオ信号を所定の増幅量だけ増幅させる。メモリ５は、増幅回路６で適用すべき増幅率（増幅量）を記憶している。そして、制御マイコン４は、オーディオ再生回路３や増幅回路６の動作を制御するとともに、メモリ５に対するデータの読み書きを制御する。
【００３２】
一方、チューナ内蔵リモコン２は、チューナ回路７、リモコンマイコン８、増幅回路９、選択回路１０、メモリ１１、キーレベル発生回路１２、キー群１３、ＬＣＤドライバ１４、およびＬＣＤ１５を備えている。なお、ここでは、キーレベル発生回路１２が、本発明の信号出力部を構成する。
【００３３】
チューナ回路７は、リモコンマイコン８の制御によりＯＮ／ＯＦＦするとともに、指定された周波数を受信してオーディオ信号を出力する。増幅回路９は、チューナ回路７から出力されたオーディオ信号を所定の増幅量だけ増幅させる。メモリ１１は、チューナ内蔵リモコン２側の増幅回路９における増幅率の指定であるボリューム値を含む各種設定を記憶する。
【００３４】
選択回路１０は、リモコンマイコン８からの制御信号に基づいて音声再生回路３またはチューナ回路７のいずれのオーディオ信号を選択的にオーディオ出力端子に出力させる。キー群１３は、ユーザがポータブルＭＤプレーヤの操作情報を入力する際に用いられる。キーレベル発生回路１２は、８つのトランジスタＴ１〜Ｔ８等を用いて８階調の電圧値を発生させることが可能であり、キー群１３を介するユーザの操作情報に基づいて適当な電圧値をオーディオ再生部の制御マイコン４に供給する。ＬＣＤ１５は、ポータブルＭＤプレーヤの動作情報等を表示するものであり、ＬＣＤドライバ１４は、リモコンマイコン８からの制御信号に基づいてＬＣＤ１５を駆動する。
【００３５】
リモコンマイコン８は、その時のポータブルＭＤプレーヤの動作状態に応じて選択回路１０を制御し、オーディオ再生部１からのオーディオ信号またはチューナからのオーディオ信号を選択しヘッドホン１００に出力する。オーディオ再生部１とチューナ内蔵リモコン２との間において、オーディオ再生部１からの通信はディジタル的なシリアル通信で行われ、制御データだけでなく、オーディオ再生部１の動作状態を表示するための表示データの通信も行われる。リモコンマイコン８は制御データによる制御を行うとともに、オーディオ再生部１から通信された表示データをＬＣＤドライバ１４に通知しＬＣＤ１５に表示させる。
【００３６】
上述の構成において、ポータブルＭＤプレーヤにおいて、オーディオ再生部１側からオーディオ信号の出力がされている場合、チューナ内蔵リモコン２のキー群１３のいずれかが操作されると、そのキーと１対１に対応しキーレベル発生回路１２のトランジスタをリモコンマイコン８がキー操作されている時間だけＯＮすることにより、各キーに割り当てられた電圧が発生する。このラインがオーディオ再生部１の制御マイコン４のＡ／Ｄ端子に接続されており、制御マイコン４はＡ／Ｄ端子に印加される電圧の値をモニタして、その電圧の値によりキー操作を検出し、これに対応するコマンドを特定してユーザにより指示された動作を実行する。
【００３７】
これに対して、ポータブルＭＤプレーヤにおいてチューナ回路７側からオーディオ信号が出力されている場合、リモコンマイコン８はＬＣＤドライバ１４を制御してＬＣＤ１５にチューナ内容の表示を行い、キー群１３によりチューナに関する操作が行われるとキーレベルをオーディオ再生部１に伝えることなく指示されたチューナ制御を行う。このとき、リモコンマイコン８はキーレベル発生回路１２から制御マイコン４への信号の出力をさせない。
【００３８】
本装置において、オーディオ再生部１の再生動作とチューナ回路７の動作は同時に実行されることはなく、リモコンマイコン８は、キー群１３を介するユーザの操作情報に応じて、オーディオ再生部１の再生動作時にはオーディオ再生部１側、またチューナの動作時にはチューナ回路７側がヘッドホン１００につながるように選択回路１０を制御する。
【００３９】
図３は、オーディオ再生部１動作時のボリューム値の設定の動作手順を示すフローチャートである。オーディオ再生部１の動作時に、ボリューム設定が変更されると、制御マイコン４が設定されたボリューム値をシリアル通信により送信するので、リモコンマイコン８はＶＯＬ値の通知の有無を確認する（ｓ１）。ボリューム値の通信があった場合、リモコンマイコン８はそのボリューム値を新しい設定値としてメモリ１１に退避し（ｓ２）、ボリューム値受信モニタに戻る。ボリューム値の通信がない場合は、チューナの起動指示の有無を確認する（ｓ３）。チューナ起動指示があれば、リモコンマイコン８はメモリ１１から最新のボリューム値を読出し（ｓ４）、そのボリューム値を用いて増幅回路９の増幅量を設定して（ｓ５）、チューナ回路７を起動する（ｓ６）。チューナ起動指示がない場合は、ＶＯＬ値受信モニタに戻る。
【００４０】
図４は、リモコンマイコン８の処理手順を示すフローチャートである。チューナ回路７の動作時に、メモリ１１には現行設定されているボリューム値がメモリ１１に記憶されている。リモコンマイコン８はチューナのボリューム値変更の有無を判別する（ｓ７）。ボリューム値変更があった場合、メモリ１１に記憶されているボリューム設定値を破棄し、設定された新しいボリューム値をメモリ１１に退避する（ｓ８）。続いて、チューナ動作終了指示の有無を判断し（ｓ９）、チューナ動作終了指示がない場合はボリューム値変更有無の判定に戻り（ｓ７）、チューナ動作終了指示があった場合は、チューナ動作を停止し（ｓ１０）、メモリ１１に記憶されている最終のボリューム設定値を読み出す（ｓ１１）。
【００４１】
最終のボリューム設定値を読み出したリモコンマイコン８は設定値に応じて割り当てられた上位の電圧値を通知するために設定値によって決められたキーレベル発生回路１２のトランジスタを５０ｍｓ間ＯＮした後ＯＦＦにする（ｓ１２）。トランジスタＯＦＦの後５０ｍｓの間待機して（ｓ１３）、下位の電圧値を通知するため設定値によって決められたキーレベル発生回路１２のトランジスタを５０ｍｓ間ＯＮする。本発明では、５０ｍｓごとにキーレベル発生回路１２から制御マイコン４に電圧値の出力を行う出力パターンが採用されているが、本発明の出力パターンはこれに限られるものではない。
【００４２】
図５は、リモコンマイコン８からのボリューム設定通知を受信する時の制御マイコン４の処理手順を示すフローチャートである。制御マイコン４はＡ／Ｄポートをモニタし、キーレベル発生回路１２からのキーレベル通知の有無を検出する（ｓ１５）。キーレベル通知が確認された場合、タイマをスタートさせる（ｓ１６）。キーレベル発生回路１２でＯＮしてきたトランジスタがＯＦＦになりキーＯＦＦレベルを検出する（ｓ１７）と、タイマをストップしてタイマの値が４５ｍｓ未満かどうかを判定する（ｓ１８）。
【００４３】
４５ｍｓ未満であれば検出したキーレベルは無効とした後（ｓ３０）、キーレベルのモニタ動作に戻り（ｓ１５）、４５ｍｓ以上であればタイマの値が５５ｍｓ以下であるかどうかを判定する（ｓ１９）。タイマの値が５５ｍｓを超えていれば通常キー操作としてキーレベル通知を処理して指示された動作を実行し（ｓ３１）、５５ｍｓ以下であればボリューム設定値の上位値として取り込んで保持し（ｓ２０）、タイマをリセットして再スタートさせ（ｓ２１）、次のキーレベル検出を判定する（ｓ２２）。
【００４４】
キーレベルが検出されない間はタイマが５５ｍｓ以下かどうかを判定し（ｓ３３）、その間が５５ｍｓ以下であればキー検出を待ち、５５ｍｓを超えればボリューム設定値の上位値取り込んだ値を破棄してボリューム設定の通知としては無効とする（ｓ３４）。キーレベルが検出されるとタイマの値が４５ｍｓ未満かどうかを確認し（ｓ２３）、４５ｍｓ未満の場合は先にボリューム設定値の上位値取り込んだ値を破棄してボリューム設定の通知としては無効とする（ｓ３２）。
【００４５】
４５ｍｓ以上であった場合はタイマが５５ｍｓ以下であるかどうかを確認し（ｓ２４）、タイマが５５ｍｓを超えていれば先に取り込んだボリューム設定値の上位値を破棄してボリューム設定の通知としては無効とする（ｓ３５）。
【００４６】
タイマが５５ｍｓ以下であれば、再度タイマをリセットスタートさせ（ｓ２５）、キーＯＦＦされるかどうかを判定する（ｓ２６）。キーＯＦＦされなければキーＯＦＦまで待つ。キーＯＦＦされるとタイマをストップしてタイマの値が４５ｍｓ未満かどうかを確認する（ｓ２７）。４５ｍｓ未満であれば、先にボリューム設定値の上位値取り込んだ値を破棄してボリューム設定の通知としては無効とする（ｓ３６）。４５ｍｓ以上であれば、タイマが５５ｍｓ以下かどうかを確認する（ｓ２８）。タイマが５５ｍｓを超えていれば、先にボリューム設定値の上位値取り込んだ値を破棄してボリューム設定の通知としては無効とすると同時に、通常キー入力として取得し（ｓ３７）、５５ｍｓ以下であれば、ボリューム設定値の下位値として取り込む（ｓ２９）。
【００４７】
このように、本実施形態では、５０ｍｓ間隔で２回の信号の出力がされる。また、各信号について、８つのトランジスタＴ１〜Ｔ８を用いて形成される８段階の階調による８種類のバリエーションがある。このため、パラメータ情報としては、図７に示すように８×８の６４段階のボリューム値を通知することが可能となる。
【００４８】
なお、配置されるキーレベル発生回路１２の通知可能段数およびレベル通知回数を調整することにより、システムに必要なボリューム設定段数に応じた通知をすることが可能である。
【００４９】
オーディオ再生部１が動作している時はシリアル通信によりチューナ動作可否を通知することができるので、リモコンマイコン８はその情報に基づいてチューナ動作可否を判定し、チューナ動作可の時にチューナ動作を行う場合は選択回路１０をチューナ側に切り換えることによりチューナのオーディオ信号を出力することができる。これに対して、オーディオ再生部１が動作していない時はオーディオ再生部１の制御マイコンの電源もＯＦＦされるため、通信が実行できず、チューナ動作可否を判定する手法が別途必要となる。
【００５０】
その手法として、図２において、シリアルデータラインをリモコン側で通信に影響しない大きい抵抗値を持った抵抗１６でプルダウンすると同時に、リモコンマイコン８の入力ポートにも接続する。オーディオ再生部１の電源がＯＮの時は、制御マイコン４はシリアルデータの通信に備えシリアルデータラインのポートをＨＩＧＨに保持し、必要に応じて通信を行う。オーディオ再生部１の電源がＯＦＦの時は、制御マイコン４の電源もＯＦＦになるので、シリアルデータラインはプルダウン抵抗１６により、ＬＯＷになる。リモコンマイコン８はシリアルデータラインとパラレルに接続された入力ポートがＬＯＷになっているとオーディオ再生部１の電源がＯＦＦであり、チューナ回路７の起動が可能であると判定できる。
【００５１】
図６は、チューナ回路７の起動が可能である否かの判定の処理手順を示すフローチャートである。シリアルデータラインと並列に接続されている入力ポートがＬＯＷかどうかを確認する（ｓ３８）。ＬＯＷであればタイマをスタートさせ（ｓ３９）、ＬＯＷの期間が１秒以上継続するかどうかを判定する（ｓ４０）。１秒以下であれば、入力ポートがＨＩＧＨかどうかを判定し（ｓ４５）、ＬＯＷであればタイマを継続し、ＨＩＧＨであれば再びＬＯＷになるのを待つ。１秒以上ＬＯＷが継続した場合、オーディオ再生部１がＯＦＦであり、チューナ動作可能と判定できる（ｓ４１）。その後も入力ポートのモニタを継続し、ＨＩＧＨが検出されるかどうかを見る（ｓ４２）。ＨＩＧＨが検出されなければ、チューナ動作可能状態が継続しており、ＨＩＧＨが検出されると、シリアルデータを確認し、有効な通信が受信されるかどうかをモニタする（ｓ４３）。有効な通信であった場合はオーディオ再生部１が起動したと判定し、通信の指示に従い（ｓ４４）、無効な通信であった場合はチューナ動作可能状態が継続しているとする。
【００５２】
このように、本発明によれば、ディジタルデータの双方向通信による制御ができない場合でも、チューナ内蔵リモコンとオーディオ再生部１のボリューム値等の相関をとってそれぞれを起動することが可能となる。
【００５３】
なお、本実施形態では、チューナ内蔵リモコン２からオーディオ再生部１に対するコマンド情報として８階調のアナログ信号が供給される構成であるが、コマンド情報として３ビットのディジタル信号を用いるような構成の場合にも本発明を適用することができる。
【００５４】
【発明の効果】
以上のように、この発明によれば、以下の効果を奏することができる。
【００５５】
（１）リモコン側からオーディオ再生装置にユーザからの操作情報を示すコマンド以外の情報を供給する場合には、リモコンからオーディオ再生部に対して出力されるコマンド信号を、通常とは異なった出力態様となる所定の出力パターンで出力するとともに、オーディオ再生部側でも、前記所定の出力パターンのコマンド信号をコマンド情報以外の情報を示すものとして取り扱うことにより、リモコンとオーディオ再生部との間において、コマンド以外の情報を伝達するためのデータライン等を別個に設けることなく、リモコンとオーディオ再生部との間の信号の出力方法を制御することのみにより、リモコンからより多くの種類の情報をオーディオ再生部に伝達することが可能になる。
【００５６】
（２）リモコンからオーディオ再生部へ通常のコマンドとは異なる情報が伝達される場合に、前記コマンド信号を所定の間隔でオン／オフすることにより、通常のコマンド情報とパラメータ情報との識別を行うことにより、コマンド信号の出力方法を制御する際には、単に間欠的に信号を出力させるといった制御を行うのみで、複雑な制御方法を用いることがないため、簡易な構成で本発明を実現することができる。
【００５７】
（３）リモコンにラジオ放送等を受信するためのチューナ回路を設け、このチューナ回路から出力されるオーディオ信号を増幅させるためにオーディオ再生部側の増幅手段とは別個の第１の増幅手段を設けることにより、オーディオ再生部側においてコンパクト化および軽量化を図ることができるとともに、リモコン側だけの構成でラジオ放送等の受信・再生を聴くことが可能になる。さらに、適正にリモコン側のボリューム値がオーディオ再生部側に伝達されるため、リモコンとオーディオ再生部との間で相互にボリューム値の情報を伝達することができる。
【００５８】
（４）リモコンに内蔵されたチューナ回路からのラジオ放送等の出力からオーディオ再生部からのオーディオ信号に切り換えた際に、オーディオ再生部側にパラメータ信号を介してリモコン側のボリューム値を認識させ、自動的に当該リモコン側のボリューム値に適合するようにオーディオ再生部側の増幅手段の増幅量を調整させることにより、チューナ回路からオーディオ再生部に切り換える前後において、ヘッドホン等から出力される音量が著しく変化することを防止でき、チューナ回路からオーディオ再生部への切換を円滑に行うことができる。
【００５９】
（５）前記オーディオ再生部が動作していない間は、前記ディジタル信号送信ラインをＬＯＷレベルになるように設定するとともに、所定時間以上前記ディジタル信号送信ラインがＬＯＷレベルの状態を保っている場合は前記リモコン側において前記オーディオ再生部が停止しているとの判断をすることにより、新たにディジタル信号送信ラインを設ける等、構成を追加することなく容易にオーディオ再生部側の動作状況をリモコン側に伝達することができる。
【００６０】
よって、新たに信号線等を設けることなく、リモコンからオーディオ再生部に対してコマンドの情報以外の情報の伝達を可能にするオーディオ再生装置を提供することができる。
【図面の簡単な説明】
【図１】本発明のオーディオ再生装置の構成を示す図である。
【図２】本発明のオーディオ再生装置のブロック図である。
【図３】オーディオ再生部からのボリューム値通知の処理手順を示すフローチャートである。
【図４】チューナ内蔵リモコンからのボリューム値通知の処理手順を示すフローチャートである。
【図５】オーディオ再生部のチューナ内蔵リモコンからのボリューム値取得の処理手順を示すフローチャートである。
【図６】チューナが動作可能か否かの判定の処理手順を示すフローチャートである。
【図７】本発明のパラメータ情報の一例を示す図である。
【符号の説明】
１−オーディオ再生部
２−チューナ内蔵リモコン
３−オーディオ再生回路
４−制御マイコン
５−メモリ
６−増幅回路
７−チューナ回路
８−リモコンマイコン
９−増幅回路
１０−選択回路
１１−メモリ
１２−キーレベル発生回路
１３−入力キー群
１４−ＬＣＤドライバ
１５−ＬＣＤ
１６−プルダウン抵抗
【図１】
2004139669.tif 000003
【図２】
2004139669.tif 000004
【図３】
2004139669.tif 000005
【図４】
2004139669.tif 000006
【図５】
2004139669.tif 000007
【図６】
2004139669.tif 000008
【図７】
2004139669.tif 000009